(57)【特許請求の範囲】
【請求項１】
Ｎ−１の非対称２分岐電力デバイスを具備したドハーティ電力増幅回路であって、前記Ｎ−１の非対称２分岐電力デバイスのそれぞれは、２つの電力増幅器を具備し、Ｎは、２より大きい整数であり、
前記ドハーティ電力増幅回路内の前記少なくとも２つの非対称２分岐電力デバイスにおいて、前記非対称２分岐電力デバイスのそれぞれに含まれる電力増幅器の内の一方は、個々に前記ドハーティ電力増幅回路のピーク電力増幅器を形成し、前記非対称２分岐電力デバイスのそれぞれに含まれる前記電力増幅器の内の他方の電力増幅器は、前記ドハーティ電力増幅回路の主電力増幅器を共同して形成し、
前記Ｎ−１の非対称２分岐電力デバイスは、全体としてＮ路ドハーティ電力増幅回路を形成し、
前記Ｎ−１の非対称２分岐電力デバイスにおいて、前記Ｎ−１の非対称２分岐電力デバイスのそれぞれに含まれるとともに、前記Ｎ路ドハーティ電力増幅回路の主電力増幅器を共同して形成するように構成されている電力増幅器は、等しい第１最大出力電力を有しており、
前記Ｎ−１の非対称２分岐電力デバイスにおいて、非対称２分岐電力デバイスのそれぞれに含まれるとともに、前記Ｎ路ドハーティ電力増幅回路のピーク電力増幅器を個々に形成するように構成されている電力増幅器は、等しい第２最大出力電力を有しており、
ここで、
第２最大出力電力 ＝ （Ｎ−１） × Ｍ × 第１最大出力電力
であり、Ｍは１又は２であることを特徴とするドハーティ電力増幅回路。
【請求項２】
前記少なくとも２つの非対称２分岐電力デバイスのそれぞれは、前記非対称２分岐電力デバイスのそれぞれに含まれる前記２つの電力増幅器を統合することにより形成されることを特徴とする請求項１に記載の回路。
【請求項３】
前記少なくとも２つの非対称２分岐電力デバイスにおいて、前記非対称２分岐電力デバイスのそれぞれに含まれている前記２つの電力増幅器のそれぞれは、個々に、対応するインピーダンス整合回路を有し、
インピーダンス整合回路は、入力整合回路と、出力整合回路と、
を具備することを特徴とする請求項１又は２に記載の回路。
【請求項４】
前記非対称２分岐電力デバイスのそれぞれに含まれている前記２つの電力増幅器のそれぞれは、それぞれの出力整合回路を使用することによりコンバイナと個々に結合されていることを特徴とする請求項３に記載の回路。
【請求項５】
前記コンバイナは、前記ドハーティ電力増幅回路のインピーダンス変換部を具備し、前記インピーダンス変換部に対応するインピーダンス変換関係は、前記少なくとも２つの非対称２分岐電力デバイスにおける前記電力増幅器の最大出力電力間の関係に従って選択されることを特徴とする請求項４に記載の回路。
【請求項６】
前記少なくとも２つの非対称２分岐電力デバイスにおいて、前記ドハーティ電力増幅回路のピーク電力増幅器を個々に形成するように構成されている任意の電力増幅器のゲートバイアス電圧は、前記ドハーティ電力増幅回路の主電力増幅器を共同して形成するように構成されている任意の前記電力増幅器のゲートバイアス電圧より低いことを特徴とする請求項１から５のいずれか一項に記載の回路。
【請求項７】
前記ドハーティ電力増幅回路のピーク電力増幅器は、ゲートバイアス電圧の降順で順次オンされることを特徴とする請求項６に記載の回路。
【発明の詳細な説明】
【技術分野】
【０００１】
本発明は、電力増幅器に関し、具体的には、ドハーティ電力増幅回路及び電力増幅器に関する。
【背景技術】
【０００２】
電力増幅器は、無線基地局の不可欠な部分であり、電力増幅器の効率が、基地局の消費電力、サイズ、熱設計などを決定する。現在、周波数スペクトルの利用効率を向上させるために、直交周波数多重方式(Orthogonal Frequency Division Multiplexing, OFDM)、符号分割多元接続(Code Division Multiple Access, CDMA)、及び時分割多元接続(Time division multiple access, TDMA)信号などの異なる規格の変調信号が、無線通信において使用されている。関連するプロトコルにおける仕様によると、これらの規格の信号は、異なるピーク対平均電力比(Peak-to-Average Power Ratio)を有しており、例えば、ＯＦＤＭのピーク対平均電力比は、１０ｄＢから１２ｄＢである。高いピーク対平均比を有する信号は、基地局の電力増幅器に対し、より高い要求を有する。基地局の電力増幅器が歪みなくこれらの高いピーク対平均比を有する信号を増幅できるようにするために、一つの方法は、電力バックオフ法であり、すなわち、電力増幅器は、クラスＡ又はクラスＡＢ状態で動作する。しかし、そのような電力増幅器の特徴によると、前記方法では、電力増幅器の効率の急激な低下をもたらし、同じ出力電力の場合においては、基地局のエネルギー消費が大幅に増加することになる。他の方法は、デジタル歪み(Digital Predistortion, DPD)などの、高効率非線形電力増幅器を線形デジタル技術と組み合わせたものである。この方法において、電力増幅器のよりよい効率性が達成し得、電力増幅器の線形性も、関連するプロトコルにおける要求に合致し得る。現在ドハーティ(Doherty)技術は、簡単な実現方法であり低コストのため、高効率の主流の電力増幅器技術である。
【０００３】
従来の対称ドハーティ電力増幅回路は、６ｄＢバックオフで最適な効率を達成する。実際には、傾向として、高いピーク対平均電力比は、現在及び将来の通信システムにおいて、ますます明らかになっており、高いピーク対平均電力比を有する信号の場合に、より高い効率性を達成するために、非対称及び複数路ドハーティ技術がより広く適用されている。例えば、従来技術における典型的な３分岐(3-branch)ドハーティ電力増幅回路は、一般に３つの電力デバイスを有している：それぞれが個別のカプセル化デバイスである、１つの主電力増幅器と、２つのピーク電力増幅器。しかし、この電力増幅回路において、以下の主たる問題が存在する。
【０００４】
１．主電力増幅器が、電力増幅回路全体の電力消費の大部分を占めており、熱消費の大部分は、１つの電力デバイス上、すなわち主電力増幅器に集中している。これはいくつかの問題をもたらす。第１に、熱集中は、システムの放熱に対し不利である。第２に、主電力増幅器の大量な熱消費は、高温度での主電力増幅器のパフォーマンス低下を導き、チップのダイ(Die)の過度に高い接合温度は、主電力増幅器の信頼性を低下させる。
【０００５】
２．従来の３分岐ドハーティ電力増幅回路は、３つのデバイスを使用し、より多い数のデバイス、及びより広いモジュールの領域は、モジュール全体の費用増加を導く。
【発明の概要】
【課題を解決するための手段】
【０００６】
本発明の実施形態は、主電力増幅器の放熱を改善し、回路のデバイスの数を減らし、回路の領域を減らし、費用を削減可能なドハーティ電力増幅回路及び電力増幅器を提供する。
【０００７】
第１の態様によると、本発明は、ドハーティ電力増幅回路を提供し、前記ドハーティ電力増幅回路は、少なくとも２つの２分岐電力デバイスを具備し、前記少なくとも２つの２分岐電力デバイスのそれぞれは、２つの電力増幅器を具備し、
前記少なくとも２つの２分岐電力デバイスにおいて、非対称２分岐電力デバイスのそれぞれに含まれる１つの電力増幅器は、個々に前記ドハーティ電力増幅回路のピーク電力増幅器を形成し、すべての前記非対称２分岐電力デバイスに含まれる他の電力増幅器は、前記ドハーティ電力増幅回路の主電力増幅器を共同して形成する
【０００８】
第１の可能な実施方法において、前記ドハーティ電力増幅回路は、Ｎ−１の非対称２分岐電力デバイスを具備し、Ｎは、２以上の整数であり、
前記Ｎ−１の非対称２分岐電力デバイスは、Ｎ路ドハーティ電力増幅回路を形成する。
【０００９】
第１の態様の第１の可能な実施方法に関連し、第２の可能な実施方法において、前記Ｎ−１の非対称２分岐電力デバイスにおいて、すべての前記非対称２分岐電力デバイスに含まれるとともに、前記Ｎ路ドハーティ電力増幅回路の主電力増幅器を共同して形成するように構成されている電力増幅器は、同じ第１最大出力電力を有しており、
前記Ｎ−１の非対称２分岐電力デバイスにおいて、非対称２分岐電力デバイスのそれぞれに含まれるとともに、Ｎ路ドハーティ電力増幅回路のピーク電力増幅器を個々に形成するように構成されている電力増幅器は、同じ第２最大出力電力を有しており、
ここで、
第２最大出力電力 ＝ （Ｎ−１） × Ｍ × 第１最大出力電力
であり、Ｍは正の数である。
【００１０】
第１の態様の第２の可能な実施方法に関連し、第３の可能な実施方法において、Ｍの値は、通信システム信号のピーク対平均電力比とともに増加する。
【００１１】
第１の態様、第１の態様の第１の可能な実施方法、第１の態様の第２の可能な実施方法、又は第１の態様の第３の可能な実施方法に関連し、第４の可能な実施方法において、前記少なくとも２つの２分岐電力デバイスのそれぞれは、非対称２分岐電力デバイスのそれぞれに含まれる２つの電力増幅器を統合することにより形成される。
【００１２】
第１の態様、第１の態様の第１の可能な実施方法、第１の態様の第２の可能な実施方法、第１の態様の第３の可能な実施方法、又は、第１の態様の第４の可能な実施方法に関連し、第５の可能な実施方法において、前記少なくとも２つの２分岐電力デバイスにおいて、非対称２分岐電力デバイスのそれぞれに含まれている２つの電力増幅器のそれぞれは、対応するインピーダンス整合回路を有し、前記インピーダンス整合回路は、入力整合回路と、出力整合回路と、を具備する。
【００１３】
第１の態様の第５の可能な実施方法に関連し、第６の可能な実施方法において、前記少なくとも２つの２分岐電力デバイスのそれぞれに含まれている２つの電力増幅器のそれぞれは、それぞれの出力整合回路を使用することによりコンバイナと結合されている。
【００１４】
第１の態様、第１の態様の第１の可能な実施方法、第１の態様の第２の可能な実施方法、第１の態様の第３の可能な実施方法、第１の態様の第４の可能な実施方法、第１の態様の第５の可能な実施方法、又は第１の態様の第６の可能な実施方法に関連し、第７の可能な実施方法において、前記少なくとも２つの２分岐電力デバイスにおいて、前記ドハーティ電力増幅回路のピーク電力増幅器を個々に形成するように構成されている任意の電力増幅器のゲートバイアス電圧は、前記ドハーティ電力増幅回路の主電力増幅器を共同して形成するように構成されている任意の電力増幅器のゲートバイアス電圧よりも低い。
【００１５】
第１の態様の第７の可能な実施方法に関連し、第８の可能な実施方法において、前記ドハーティ電力増幅回路のピーク電力増幅器は、ゲートバイアス電圧の降順で順次オンされる。
【００１６】
第２の態様によると、本発明は、第１の態様、第１の態様の第１の可能な実施方法、第１の態様の第２の可能な実施方法、第１の態様の第３の可能な実施方法、第１の態様の第４の可能な実施方法、第１の態様の第５の可能な実施方法、第１の態様の第６の可能な実施方法、第１の態様の第７の可能な実施方法、第１の態様の第８の可能な実施方法に従うドハーティ電力増幅回路を含んでいる電力増幅器を提供する。
【００１７】
以上から分かるように、本発明のいくつかの実行可能な実施方法において、非対称２分岐電力デバイスへの電力増幅器の統合は、回路のデバイスの数、回路の領域、費用を削減し、主電力増幅器の熱消費は、非対称２分岐電力デバイスのそれぞれに分散され、主電力増幅器の放熱を改善できる。
【００１８】
本発明の実施形態における、または従来技術における技術的ソリューションをより明瞭に説明するのに、以下に、それらの実施形態を説明するのに必要な添付の図面を簡単に概説する。以下の説明における添付の図面は、本発明のいくつかの実施形態を示すに過ぎず、当業者は、創造的な取り組みなしに、添付の図面に従って他の図面をさらに得ることができる。
【図面の簡単な説明】
【００１９】
【図１】図１は、３分岐ドハーティ電力増幅回路の回路構成の概略図である。
【図２】図２は、３分岐ドハーティ電力増幅回路の他の回路構成の概略図である。
【発明を実施するための形態】
【００２０】
本発明の実施形態における添付の図面を参照しながら、本発明の実施形態における技術的解決策について以下で明確かつ完全に説明する。説明する実施形態は、本発明の実施形態のすべてではなく、一部にすぎないことは明らかである。創造的な努力なしに本発明の実施形態に基づいて当業者によって得られるすべての他の実施形態は、本発明の保護範囲内に入るものである。
【００２１】
従来技術におけるドハーティ電力増幅回路において存在する、熱消費の集中、多くのデバイス、高コストなどの問題を解決するために、本発明の実施形態は、ドハーティ電力増幅回路を提供し、前記ドハーティ電力増幅回路は、少なくとも２つの２分岐電力デバイスを含み、前記少なくとも２つの２分岐電力デバイスのそれぞれは、２つの電力増幅器を含む。少なくとも２つの２分岐電力デバイスにおいて、非対称２分岐電力デバイスのそれぞれに含まれる１つの電力増幅器は、前記ドハーティ電力増幅回路のピーク電力増幅器を個々に形成し、すべての非対称２分岐電力デバイスに含まれる他の電力増幅器は、ドハーティ電力増幅回路の主電力増幅器を共同して形成する(jointly form)。
【００２２】
実施態様として、ドハーティ電力増幅回路は、Ｎ−１の非対称２分岐電力デバイスを含み、Ｎは、２以上の整数である。前記Ｎ−１の非対称２分岐電力デバイスは、Ｎ路ドハーティ電力増幅回路を形成する。
【００２３】
前記Ｎ−１の非対称２分岐電力デバイスにおいて、すべての非対称２分岐電力デバイスに含まれるとともにＮ路ドハーティ電力増幅回路の主電力増幅器を共同して形成するように構成されている電力増幅器は、同じ第１最大出力電力を有する。非対称２分岐電力デバイスのそれぞれに含まれるとともにＮ路ドハーティ電力増幅回路のピーク電力増幅器を個々に形成するように構成されている電力増幅器は、同じ電力増幅回路を有する。第２最大出力電力 ＝ （Ｎ−１） × Ｍ × 第１最大出力電力であり、Ｍは正の数である。Ｍの値は、通信システム信号のピーク対平均電力比とともに増加する。
【００２４】
少なくとも２つの２分岐電力デバイスのそれぞれは、非対称２分岐電力デバイスのそれぞれに含まれる前記２つの電力増幅器を統合することにより形成される。
【００２５】
少なくとも２つの２分岐電力デバイスにおいて、非対称２分岐電力デバイスのそれぞれに含まれる前記２つの電力増幅器は、対応するインピーダンス整合回路を個々に有し、前記インピーダンス整合回路は、入力整合回路と、出力整合回路とを含む。少なくとも２つの２分岐電力デバイスのそれぞれに含まれる前記２つの電力増幅器は、それぞれの出力整合回路を使用することにより、コンバイナと個々に接続されている。
【００２６】
少なくとも２つの２分岐電力デバイスにおいて、前記ドハーティ電力増幅回路のピーク電力増幅器を個々に形成するように構成されている任意の電力増幅器のゲートバイアス電圧は、ドハーティ電力増幅回路の主電力増幅器を共同して形成するように構成されている任意の電力増幅器のゲートバイアス電圧よりも低い。前記ドハーティ電力増幅回路のピーク電力増幅器は、ゲートバイアス電圧の降順に従って順次オンされる。本発明の実施形態により提供されるドハーティ電力増幅回路によれば、非対称２分岐電力デバイスへの電力増幅器の統合が、回路のデバイスの数、回路の領域、及び費用を削減する。また、主電力増幅器の熱消費が、非対称２分岐電力デバイスのそれぞれに分散され、主電力増幅器の放熱を改善することができる。
【００２７】
説明のための例として、以下では、３分岐ドハーティ電力増幅回路を使用する。
【００２８】
図１は、３分岐ドハーティ電力増幅回路の回路構成の概略図である。図１は、電力分散比が１：１：１である３分岐ドハーティ電力増幅回路を示している。Ｔ１及びＴ２は、２つの非対称２分岐電力デバイスであり、非対称２分岐電力デバイスのそれぞれは、電力増幅器の２分岐を内部的に含んでいる。Ｔ１デバイス内の電力増幅器の２分岐は、Ｃ１とＰ１であり、Ｔ２デバイスの電力増幅器の２分岐は、Ｃ２とＰ２であり、ここで、Ｔ１とＴ２をそれぞれ形成できるように、Ｃ１は、Ｐ１と統合され、Ｃ２は、Ｐ２と統合される。
【００２９】
Ｃ１とＰ１の最大出力電力は異なっており、Ｃ２とＰ２のそれも異なっている。Ｃ１、Ｐ１、Ｃ２、Ｐ２の最大出力電力は、３分岐ドハーティ電力増幅回路の設計に従って選択され、Ｃ１、Ｐ１、Ｃ２、Ｐ２の最大出力電力間の関係は以下のとおりである：
Ｃ１の最大出力電力 ＝ Ｃ２の最大出力電力
Ｐ１の最大出力電力 ＝ Ｐ２の最大出力電力 ＝ ２ × Ｃ１の最大出力電力
Ｐ１のゲートバイアス電圧は、Ｃ１及びＣ２のゲートバイアス電圧より低く、Ｐ２のゲートバイアス電圧は、Ｐ１のゲートバイアス電圧より低く設定される。
【００３０】
無線周波数電力増幅器のための回路設計において、電力増幅器の入力及び出力は、電力増幅器の電力、効率、ゲインなどが正確となるように、適切なインピーダンスポイントを整合させる整合回路を必要とする。Ｃ１、Ｐ１、Ｃ２、及びＰ２の入力端と出力端は個々に入力整合回路、及び出力整合回路に接続されている。Ｃ１は、入力整合回路Ａ１と、出力整合回路Ｂ１に個々に接続されており、Ｐ１は、入力整合回路Ａ２と、出力整合回路Ｂ２に個々に接続されており、Ｃ２は、入力整合回路Ａ３と、出力整合回路Ｂ３に個々に接続されており、Ｐ２は、入力整合回路Ａ４と、出力整合回路Ｂ４に個々に接続されている。
【００３１】
Ｃ１、Ｐ１、Ｃ２、及びＰ２の出力整合回路は、コンバイナ１に接続されており、前記コンバイナ１は、Ｃ１、Ｐ１、Ｃ２、及びＰ２の出力電力を一緒に結合する。コンバイナ１は、３分岐ドハーティ電力増幅回路のインピーダンス変換部をさらに含み、適切なインピーダンス変換関係が、Ｃ１、Ｐ１、Ｃ２、及びＰ２の最大出力電力間の関係に従って選択され、ここでインピーダンス変換関係の選択は、ドハーティ設計の能力に合致するＣ１、Ｐ１、Ｃ２、及びＰ２間のインピーダンス牽引(impedance traction)を作るためである。
【００３２】
図１に示されている３分岐ドハーティ電力増幅回路の動作原理は以下の通りである。
【００３３】
実際の動作では、Ｃ１とＣ２は、主電力増幅器として働くように結合され、Ｐ１とＰ２は、それぞれ第１ピーク電力増幅器と、第２ピーク電力増幅器として働く。
【００３４】
出力電力バックオフが１２ｄＢより少なければ、Ｃ１とＣ２を含んでいる主電力増幅器が主に動作し、Ｐ１とＰ２は、Ｃクラスにおいて動作し、オンされない。
【００３５】
出力電力バックオフが１２ｄＢより少なく、６ｄＢより大きければ、Ｐ１がオンされ、Ｃ１とＣ２を含んでいる主電力増幅器及びＰ１が動作し、Ｐ２はオンされない。
【００３６】
出力電力バックオフが６ｄＢより小さければ、Ｐ２もオンされ、Ｃ１、Ｃ２、Ｐ１、及びＰ２の全てが動作する。
【００３７】
コンバイナ１は、Ｃ１、Ｐ１、Ｃ２、及びＰ２の出力電力を一緒に結合し、負荷に、前記結合された出力電力を出力する。
【００３８】
Ｐ１のゲートバイアス電圧がＣ１及びＣ２のゲートバイアス電圧より低く、Ｐ２のゲートバイアス電圧がＰ１のゲートバイアス電圧より低いため、主電力増幅器とピーク電力増幅器が順次オンされる。具体的には、より高いゲートバイアス電圧は、より高いゲインを示し、ピーク電力増幅器のゲインは、入力電力とともに増加する。したがって、入力電力が非常に小さい場合には、同じ入力電力に対し、主電力増幅器の出力電力は、Ｐ１の出力電力よりもはるかに大きく、Ｐ１の出力電力がＰ２の出力電力より大きい。この時、主電力増幅器が主に動作し、すなわち、出力電力は主に主電力増幅器により出力される。入力電力が、出力電力が１２ｄＢバックオフされた全電力と等しくなるまで増加を続ける場合には、Ｐ１のゲインはより大きくなり、Ｐ１の出力電力は、増加を開始する。しかし、この時、Ｐ２のゲインは依然として低く、Ｐ２の出力電力は、除外できる。入力電力が、出力電力が６ｄＢバックオフされた全電力と等しくなるまで増加を続ける場合には、Ｐ２のゲインはより大きくなり、Ｐ２の出力電力は、増加する。最後に、主電力増幅器とピーク電力増幅器の出力電力は、主電力増幅器とピーク電力増幅器の最大出力電力に達する。
【００３９】
先述した実施形態により提供される３分岐ドハーティ電力増幅回路によると、Ｃ１とＣ２は結合され、主電力増幅器として働く。この方法において、主電力増幅器の熱消費は、２つの非対称２分岐電力デバイスＴ１及びＴ２に分散される。これにより、モジュールの放熱及びデバイスのパフォーマンスが改善される。Ｃ１、Ｃ２、Ｐ１、及びＰ２は、２つの非対称２分岐電力デバイスＴ１及びＴ２に統合され、これにより、デバイスの数、回路の領域、費用を削減する。
【００４０】
図２は、３分岐ドハーティ電力増幅回路の他の回路構成の概略図である。図２は、電力分散比１：２：２の３分岐ドハーティ電力増幅回路を示している。電力分散比１：２：２の３分岐ドハーティ電力増幅回路の最大出力電力関連は以下の通りである：
Ｃ１の最大出力電力 ＝ Ｃ２の最大出力電力
Ｐ１の最大出力電力 ＝ Ｐ２の最大出力電力 ＝ ４ × Ｃ１の最大出力電力
【００４１】
図２と図１間の差は、図１に示されている電力分散比１：１：１のドハーティ電力増幅回路は、１２ｄＢと６ｄＢで別々にオンされるが、図２に示されている電力分散比１：２：２のドハーティ電力増幅回路は異なるポイントでオンされることにある。確かに、電力分散比１：２：２のドハーティ電力増幅回路のコンバイナ２におけるインピーダンス整合回路は、電力分散比１：１：１のドハーティ電力増幅回路とまた異なっている。適切なインピーダンス変換関係が、Ｃ３、Ｃ４、Ｐ３、及びＰ４の最大出力電力間の関係に従って選択される。
【００４２】
具体的な動作において、電力分散比１：１：１又は１：２：２は、実際の通信システム信号のピーク対平均電力比に従って選択される。
【００４３】
電力分散比１：Ｍ：Ｍの３分岐ドハーティ電力増幅回路に拡張する場合には、電力分散比１：Ｍ：Ｍの３分岐ドハーティ電力増幅回路の最大出力電力関係は、以下の通りである：
Ｃ１の最大出力電力 ＝ Ｃ２の最大出力電力
Ｐ１の最大出力電力 ＝ Ｐ２の最大出力電力 ＝ ２ × Ｍ × Ｃ１の最大出力電力
であり、ここで、Ｍは正の数であり、例えば、Ｍ ＝ １．２、Ｍ ＝ １．５などが許容される。
【００４４】
電力分散比１：Ｍ：・・・：ＭのＮ路ドハーティ電力増幅回路に拡張する場合には、電力分散比１：Ｍ：・・・：ＭのＮ路ドハーティ電力増幅回路の最大出力電力関係は、以下のとおりである：
Ｐ１の最大出力電力 ＝ Ｐ２の最大出力電力 ＝ （ＰＮ−１）の最大出力電力 ＝ （Ｎ−１） × Ｍ × Ｃ１の最大出力電力
Ｃ１の最大出力電力 ＝ Ｃ２の最大出力電力 ＝ ・・・ ＝ （ＣＮ−１）の最大出力電力
Ｐ１から（ＰＮ−１）のゲートバイアス電圧は、順次減少するように設定され、したがって、Ｐ１から（ＰＮ−１）は、順次オンされる。
【００４５】
上記の説明は本発明の単なる例示的な実施形態にすぎない。しかし、本発明の保護範囲はそれらに限定されるものではない。したがって、本発明の特許請求の範囲に従う等価な変更も、本発明の保護範囲内に入る。
【符号の説明】
【００４６】
Ｔ１、Ｔ２      非対称２分岐電力デバイス
Ｃ１、Ｐ１      Ｔ１デバイスの電力増幅器
Ｃ２、Ｐ２      Ｔ２デバイスの電力増幅器
Ｃ１，Ｃ２      共同して主電力増幅器として動作
Ｐ１            第１ピーク電力増幅器として動作
Ｐ２            第２ピーク電力増幅器として動作
Ａ１，Ａ２，Ａ３，Ａ４    入力整合回路
Ｂ１，Ｂ２，Ｂ３，Ｂ４    出力整合回路
【図１】
0006516227.tif 000002
【図２】
0006516227.tif 000003